(57)【要約】【課題】コンパクトで設置スペースが少なくて済み、従来と同等の給湯性能を得ることが出来る蓄熱式給湯装置を提供する。【解決手段】内方に蓄熱材２を充填し加熱手段３、６及び給湯用熱交換器４、７を備えた複数の蓄熱缶体１、５を並設し、各蓄熱缶体１、５は個別に給水管１０及び給湯管１５と連通しており、給水管１０と各給湯用熱交換器４、７の流入側との間には、給湯温度或いは蓄熱缶体１、５温度によって開閉制御される開閉手段１２、１３を備えたことにより、複数の蓄熱缶体を並設して使用することで、無駄な放熱を極力抑えることが出来、効率良く良好な給湯を行えるものであり、又水よりも大量の熱エネルギーを吸熱、放熱することが出来る蓄熱材を利用することで、少量の蓄熱材で従来のものと同等の能力の給湯を行うことが出来、蓄熱缶体も極めて小さなもので良く、給湯機器全体をコンパクト化することが出来るものである。【選択図】図１
2007057159.tif 000002
【特許請求の範囲】
【請求項１】
内方に蓄熱材を充填し加熱手段及び給湯用熱交換器を備えた複数の蓄熱缶体を並設し、各蓄熱缶体は個別に給水管及び給湯管と連通しており、給水管と各給湯用熱交換器の流入側との間には、給湯温度或いは蓄熱缶体温度によって開閉制御される開閉手段を備えた事を特徴とする蓄熱式給湯装置。
【発明の詳細な説明】
【技術分野】
【０００１】
この発明は、蓄熱材を利用した蓄熱式の給湯装置に関するものである。
【背景技術】
【０００２】
従来よりこの種の給湯装置では、深夜電力等を利用して電気ヒータで加熱された温水を貯湯タンクに貯湯し、昼間や夜の給湯で使用して極力ランニングコストを削減し、効率が良く経済的な給湯を行うものであった。（例えば、特許文献１参照）
【特許文献１】特許第３２７７４５５号公報
【発明の開示】
【発明が解決しようとする課題】
【０００３】
ところでこの従来のものでは、湯切れをせず又途中で沸き増し運転などをしないようにする為に、どうしても貯湯タンクを大きなものにしてしまうと、断熱材も大きくなり、結果として器具全体が大型となって、設置場所も取るし扱いずらいと言う問題点を有するものであった。
【課題を解決するための手段】
【０００４】
この発明はこの点に着目し、上記欠点を解決する為、特にその構成を、内方に蓄熱材を充填し加熱手段及び給湯用熱交換器を備えた複数の蓄熱缶体を並設し、各蓄熱缶体は個別に給水管及び給湯管と連通しており、給水管と各給湯用熱交換器の流入側との間には、給湯温度或いは蓄熱缶体温度によって開閉制御される開閉手段を備えたものである。
【発明の効果】
【０００５】
この発明によれば、複数の蓄熱缶体を並設して使用することで、無駄な放熱を極力抑えることが出来、効率良く良好な給湯を行えるものであり、又水よりも大量の熱エネルギーを吸熱、放熱することが出来る蓄熱材を利用することで、少量の蓄熱材で従来のものと同等の能力の給湯を行うことが出来、蓄熱缶体も極めて小さなもので良く、給湯機器全体をコンパクト化することが出来、設置スペースもいらず、取り扱い易くなるものである。
【発明を実施するための最良の形態】
【０００６】
次にこの発明の蓄熱式給湯装置の一実施形態を図面に基づいて説明する。
この蓄熱式給湯装置は、時間帯別契約電力の電力単価が安価な深夜時間帯に蓄熱して給湯に用いるもので、１は内方に蓄熱材２を充填すると共に中央部には加熱手段を構成する第１の電気ヒータ３を備えた第１の蓄熱缶体で、更に内方には円筒状に巻回された第１の給湯用熱交換器４が備えられている。
【０００７】
前記蓄熱材２は、ナトリウム系水和剤で凝固状態から融解状態へと相を変化させることによって生じる潜熱を利用するもので、９０℃近い高温レベルで温水の約１０倍に相当する画期的な大量の熱エネルギーを吸熱・放熱することが出来るものである。
【０００８】
５は内方に蓄熱材２を充填すると共に中央部には加熱手段を構成する第２の電気ヒータ６を備えた第２の蓄熱缶体で、更に内方上部には円筒状に巻回された第２の給湯用熱交換器７を備え、この下部には同じく円筒状に巻回され風呂循環路８と接続した風呂用熱交換器９が備えられている。
【０００９】
１０は第１の給湯用熱交換器４及び第２の給湯用熱交換器７の流入側とそれぞれ連通した給水管で、それぞれ接続する接続管１１には電磁弁からなる第１の開閉手段１２と、第２の開閉手段１３が備えられ、第１の蓄熱缶体１外周上下に取り付けられた５個の温度センサ１４ａ〜１４ｅにより、第１の蓄熱缶体１の温度即ち保有熱量を検知して、保有熱量がなくなった時には、第１の開閉手段１２を閉口すると共に第２の開閉手段１３を開成して、第１の蓄熱缶体１から第２の蓄熱缶体５に切り替えるものである。
【００１０】
１５は第１の給湯用熱交換器４及び第２の給湯用熱交換器７の流出側がそれぞれ連通した給湯管で、途中には給水管１０から分岐した給水バイパス管１６が接続した混合弁１７が設けられ、高温水と給水とを混合して設定温度の給湯として供給するものである。
【００１１】
次にこの一実施形態の作動を説明する。
まず、深夜電力時間帯では第１の電気ヒータ３及び第２の電気ヒータ６が通電され、第１の蓄熱缶体１及び第２の蓄熱缶体５内では、この電気ヒータ３、６の通電による発熱を蓄熱材２が吸熱するものである。
【００１２】
即ちこの蓄熱材２は、凝固状態から吸熱を開始し、融解するまでは熱エネルギーを吸収するが、約９０℃近くに達し融解（相変化）する段階で蓄熱（吸熱）量は大きく急増して白濁化する。融解、白濁後も吸熱量は少ないが吸熱し、完全に融解した時に潜熱量は最大となるものであり、深夜電力時間帯では蓄熱缶体１には多くの熱が蓄熱される。
【００１３】
そして、今第１の蓄熱缶体１は蓄熱状態で温度が高いので、これを温度センサ１４ａ〜１４ｅが検知して第１の開閉手段１２を開成状態とし、第２の開閉手段１３を閉成状態とするので、給湯時間帯で給湯栓（図示せず）を開栓すると、給水管１０からの給水は第１の給湯用熱交換器４内を流通し、蓄熱材２からの放熱で加熱され、高温水となって給湯管１５から混合弁１７で給水と混合され設定温度の給湯として供給される。
【００１４】
更に給湯が進み第１の蓄熱缶体１内の蓄熱がなくなって来ると、これを温度センサ１４ａ〜１４ｅが検知し、第１の開閉手段１２を閉成状態とし、第２の開閉手段１３を開成状態とすることで、今度給水は第２の給湯用熱交換器７を流通して、第２の蓄熱缶体５内の蓄熱材２からの放熱を受けて高温水となり、給湯されるものである。
【００１５】
これにより、複数の蓄熱缶体１、５に分けて蓄熱されるので、無駄な放熱が抑えられて効率の良く良好な給湯を行えるものであり、又水よりも大量の熱エネルギーを吸熱、放熱することが出来る蓄熱材を利用することで、少量の蓄熱材で従来のものと同等の能力の給湯を行うことが出来、蓄熱缶体も極めて小さなもので良く、給湯機器全体をコンパクト化することが出来、設置スペースもいらず、取り扱い易くなるものである。
【図面の簡単な説明】
【００１６】
【図１】この発明の一実施形態を示す蓄熱式給湯装置の概略構成図。
【符号の説明】
【００１７】
１  第１の蓄熱缶体
２  蓄熱材
３  第１の電気ヒータ（加熱手段）
４  第１の給湯用熱交換器
５  第２の蓄熱缶体
６  第２の電気ヒータ
７  第２の給湯用熱交換器
１０  給水管
１２  第１の開閉手段
１３  第２の開閉手段
１４ａ〜１４ｅ  温度センサ
１５  給湯管
【図１】
2007057159.tif 000003